(57)【特許請求の範囲】
【請求項１】
太陽電池及び負荷を有する電力管理システムに設けられる制御装置であって、
前記太陽電池の動作点を記憶する記憶部と、
前記太陽電池の動作点を制御する制御部と、
出力部と、を備え、
前記制御部は、前記太陽電池が電力系統から解列された自立運転状態において、所定時点における前記太陽電池の動作点及び前記記憶部に記憶された情報に基づいて、前記所定時点における環境条件に対応する特性カーブを特定し、
前記制御部は、前記自立運転状態において、前記特定された特性カーブに基づいて、前記所定時点において前記太陽電池が前記負荷に供給可能な最大供給電力を特定し、
前記出力部は、前記太陽電池によって供給可能な残り電力量として、前記特定された最大供給電力と前記自立運転状態における前記負荷の消費電力との差分を表示又は音声によって出力することを特徴とする制御装置。
【請求項２】
前記出力部は、前記残り電力量に加えて、前記特定された最大供給電力を表示又は音声によって出力することを特徴とする請求項１に記載の制御装置。
【請求項３】
前記制御部は、少なくとも１つの環境条件に対応する特性カーブを学習して、学習された特性カーブを前記記憶部に記憶することを特徴とする請求項１に記載の制御装置。
【請求項４】
前記制御部は、前記太陽電池が前記電力系統に連系された連系状態において前記太陽電池の動作点をプロットし、前記太陽電池の動作点のプロット結果に基づいて、前記特性カーブを学習することを特徴とする請求項３に記載の制御装置。
【請求項５】
前記記憶部には、前記特性カーブが予め記憶されていることを特徴とする請求項１に記載の制御装置。
【請求項６】
前記記憶部には、最も日射量が多いときの１つの特性カーブのみが記憶されており、
前記制御部は、前記１つの特定カーブに基づいて、前記所定時点における環境条件に対応する特性カーブを特定することを特徴とする請求項３乃至請求項５に記載の制御装置。
【請求項７】
太陽電池及び負荷を有する電力管理システムに適用される供給電力特定方法であって、
前記太陽電池が電力系統から解列された自立運転状態において、所定時点における前記太陽電池の動作点に基づいて、前記所定時点における環境条件に対応する特性カーブを特定するステップＡと、
前記自立運転状態において、前記ステップＡで特定された特性カーブに基づいて、前記所定時点において前記太陽電池が前記負荷に供給可能な最大供給電力を特定するステップＢと、
前記太陽電池によって供給可能な残り電力量として、前記ステップＢで特定された最大供給電力と前記自立運転状態における前記負荷の消費電力との差分を表示又は音声によって出力するステップＣと、を備えることを特徴とする供給電力特定方法。
【発明の詳細な説明】
【技術分野】
【０００１】
本発明は、太陽電池及び負荷を有する電力管理システムに設けられる制御装置及び電力管理システムに適用される供給電力特定方法に関する。
【背景技術】
【０００２】
従来、太陽電池の出力（発電能力）を最大化するために、太陽電池の動作点（動作点電圧値と電力値とによって定まる点、或いは、動作点電圧値と電流値とによって定まる点）を変化させる技術が知られている。このような技術は、ＭＰＰＴ（Ｍａｘｉｍｕｍ  Ｐｏｗｅｒ  Ｐｏｉｎｔ  Ｔｒａｃｋｉｎｇ）法と称される。
【０００３】
ここで、最適動作点の学習によって、太陽電池の動作点を速やかに最適動作点に近づける技術が提案されている（例えば、特許文献１）。詳細には、以下に示す動作によって、太陽電池を制御する。
【０００４】
（１）  予め日射量などの動作条件をパラメータとして、太陽電池の特性カーブ（例えば、Ｉ−Ｖ特性）を測定する
（２）  作条件における最適動作点を求める
（３）  現在のＩ−Ｖ特性に基づいて、実際の動作条件を推定する
（４）  動作条件に対応する最適動作点を制御目標として、太陽電池を制御する
【先行技術文献】
【特許文献】
【０００５】
【特許文献１】特開平７−２３４７３３号公報
【発明の概要】
【発明が解決しようとする課題】
【０００６】
ところで、太陽電池が電力系統に連系された状態では、単純に、最適動作点を制御目標として太陽電池を制御すればよい。これに対して、太陽電池が電力系統から解列された状態（以下、自立運転状態）では、太陽電池に接続された負荷の消費電力に応じて、太陽電池の動作点が自動的に変わってしまう。
【０００７】
発明者らは、鋭意検討の結果、自立運転状態において、太陽電池の動作点が自動的に変わってしまった場合に、どれだけの電力を供給することができるのか不明であるという課題を着想した。
【０００８】
そこで、本発明は、上述した課題を解決するためになされたものであり、自立運転状態において、太陽電池が供給可能な電力を特定することを可能とする制御装置及び供給電力特定方法を提供することを目的とする。
【課題を解決するための手段】
【０００９】
第１の特徴に係る制御装置は、太陽電池及び負荷を有する電力管理システムに設けられる。制御装置は、前記太陽電池の動作点を記憶する記憶部と、前記太陽電池の動作点を制御する制御部とを備える。前記制御部は、前記太陽電池が電力系統から解列された自立運転状態において、所定時点における前記太陽電池の動作点及び前記記憶部に記憶された情報に基づいて、前記所定時点における環境条件に対応する特性カーブを特定し、特定された特性カーブに基づいて、前記所定時点において前記太陽電池が前記負荷に供給可能な最大供給電力を特定する。
【００１０】
第１の特徴において、制御装置は、特定された最大供給電力を表示によって出力し、或いは、特定された最大供給電力を音声によって出力する出力部をさらに備える。
【００１１】
第１の特徴において、制御装置は、特定された最大供給電力に基づいて、前記太陽電池によって供給可能な残り電力量を表示によって出力し、或いは、特定された最大供給電力に基づいて、前記太陽電池によって供給可能な残り電力量を音声によって出力する出力部をさらに備える。
【００１２】
第１の特徴において、前記制御部は、少なくとも１つの環境条件に対応する特性カーブを学習して、学習された特性カーブを前記記憶部に記憶する。
【００１３】
第１の特徴において、前記記憶部には、前記特性カーブが予め記憶されている。
【００１４】
第２の特徴において、供給電力特定方法は、太陽電池及び負荷を有する電力管理システムに適用される。供給電力特定方法は、前記太陽電池が電力系統から解列された自立運転状態において、所定時点における前記太陽電池の動作点に基づいて、前記所定時点における環境条件に対応する特性カーブを特定するステップＡと、前記ステップＡで特定された特性カーブに基づいて、前記所定時点において前記太陽電池が前記負荷に供給可能な最大供給電力を特定するステップＢとを備える。
【発明の効果】
【００１５】
本発明によれば、自立運転状態において、太陽電池が供給可能な電力を特定することを可能とする制御装置及び供給電力特定方法を提供することができる。
【図面の簡単な説明】
【００１６】
【図１】図１は、第１実施形態に係る電力管理システム１００の構成を示す図である。
【図２】図２は、第１実施形態に係る需要家１０の構成を示す図である。
【図３】図３は、第１実施形態に係る太陽電池１１の特性カーブを示す図である。
【図４】図４は、第１実施形態に係る特性カーブの学習を説明するための図である。
【図５】図５は、第１実施形態に係る電源タップ３００を示す図である。
【図６】図６は、第１実施形態に係る負荷１３の接続例を示す図である。
【図７】図７は、第１実施形態に係る供給電力特定方法を示すフロー図である。
【発明を実施するための形態】
【００１７】
以下において、本発明の実施形態に係る電力管理システムについて、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る制御装置は、太陽電池及び負荷を有する電力管理システムに設けられる。制御装置は、前記太陽電池の動作点を記憶する記憶部と、前記太陽電池の動作点を制御する制御部とを備える。前記制御部は、前記太陽電池が電力系統から解列された自立運転状態において、所定時点における前記太陽電池の動作点及び前記記憶部に記憶された情報に基づいて、前記所定時点における環境条件に対応する特性カーブを特定し、特定された特性カーブに基づいて、前記所定時点において前記太陽電池が前記負荷に供給可能な最大供給電力を特定する。
【００２０】
実施形態では、制御部は、所定時点における環境条件に対応する特性カーブを特定して、特定された特性カーブに基づいて、最大供給電力を特定する。言い換えると、自立運転状態において、太陽電池の動作点が自動的に変わってしまった場合であっても、最大供給電力を特定することができる。これによって、自立運転状態において、どれだけの電力を供給することができるのかを把握することが可能である。
【００２１】
［第１実施形態］
（電力管理システム）
以下において、第１実施形態に係る電力管理システムの構成について、図面を参照しながら説明する。図１は、第１実施形態に係る電力管理システム１００を示す図である。
【００２２】
図１に示すように、電力管理システム１００は、需要家１０と、ＥＭＳ２０と、変電所３０と、スマートサーバ４０と、発電所５０とを有する。なお、需要家１０、ＥＭＳ２０、変電所３０及びスマートサーバ４０は、ネットワーク６０によって接続されている。
【００２３】
需要家１０は、太陽電池などの分散電源を有する。また、需要家１０は、分散電源として、蓄電池などを有していてもよい。なお、需要家１０は、例えば、一戸建ての住宅であってもよく、マンションなどの集合住宅であってもよく、ビルなどの商用施設であってもよい。
【００２４】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２５】
ＥＭＳ２０は、複数の需要家１０と電力系統との間の連系を制御する。なお、ＥＭＳ２０は、複数の需要家１０を管理するため、ＣＥＭＳ（Ｃｌｕｓｔｅｒ  Ｅｎｅｒｇｙ  Ｍａｎａｇｅｍｅｎｔ  Ｓｙｓｔｅｍ）と称されることもある。具体的には、ＥＭＳ２０は、停電時などにおいて、複数の需要家１０と電力系統との間を解列する。一方で、ＥＭＳ２０は、復電時などにおいて、複数の需要家１０と電力系統との間を連系する。
【００２６】
第１実施形態では、ＥＭＳ２０Ａ及びＥＭＳ２０Ｂが設けられている。ＥＭＳ２０Ａは、例えば、需要家群１０Ａに含まれる需要家１０と電力系統との間の連系を制御する。ＥＭＳ２０Ｂは、例えば、需要家群１０Ｂに含まれる需要家１０と電力系統との間の連系を制御する。
【００２７】
変電所３０は、複数の需要家１０に対して、配電線３１を介して電力を供給する。具体的には、変電所３０は、発電所５０から供給される電圧を降圧する。
【００２８】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００２９】
スマートサーバ４０は、複数のＥＭＳ２０（ここでは、ＥＭＳ２０Ａ及びＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３０】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３１】
（需要家）
以下において、第１実施形態に係る需要家の構成について、図面を参照しながら説明する。図２は、第１実施形態に係る需要家１０の構成を示す図である。なお、図２では、需要家１０に設けられるＰＣＳ（Ｐｏｗｅｒ  Ｃｏｎｄｉｔｉｏｎｉｎｇ  Ｓｙｓｔｅｍ）について主として説明する。
【００３２】
図２に示すように、需要家１０は、太陽電池１１を有する。また、需要家１０は、太陽電池１１と電力系統（配電線３１）との間の連系／解列を切り替えるスイッチ１２を有する。さらに、需要家１０は、太陽電池１１を制御するＰＣＳ２００を有する。
【００３３】
なお、スイッチ１２がオフである場合に、需要家１０の状態は、太陽電池１１が電力系統（配電線３１）から解列された状態（以下、自立運転状態）である。自立運転状態では、太陽電池１１（ＰＣＳ２００）に接続される負荷１３の消費電力に応じて、太陽電池の動作点が自動的に変わることに留意すべきである。負荷１３は、例えば、冷蔵庫、照明、エアコンなどである。
【００３４】
また、スイッチ１２がオンである場合に、需要家１０の状態は、太陽電池１１が電力系統（配電線３１）に連系された状態（連系状態）である。連系状態においては、太陽電池１１によって発電された電力を売電することが可能である。
【００３５】
ＰＣＳ２００は、昇圧回路２１０と、インバータ回路２２０と、検出回路２３０と、記憶部２４０と、制御部２５０と、出力部２６０とを有する。
【００３６】
昇圧回路２１０は、太陽電池１１及びインバータ回路２２０に接続される。昇圧回路２１０は、太陽電池１１から出力される電力の電圧を昇圧する。
【００３７】
インバータ回路２２０は、昇圧回路２１０に接続されており、スイッチ１２を介して電力系統（配電線３１）に接続される。インバータ回路２２０は、電力系統（配電線３１）から供給される交流電力を直流電力に変換する。インバータ回路２２０は、昇圧回路２１０から供給される直流電力を交流電力に変換する。
【００３８】
検出回路２３０は、太陽電池１１から出力される電力の値を検出する。具体的には、検出回路２３０は、太陽電池１１から出力される電力の電圧値（Ｖ）及び電流値（Ｉ）を検出する。
【００３９】
記憶部２４０は、各種情報を記憶する。例えば、記憶部２４０は、太陽電池１１の動作点の推移を示す特性カーブを記憶する。特性カーブは、太陽電池１１の動作点の推移を示す特性である。例えば、特性カーブは、太陽電池１１の出力電流値（Ｉ）及び太陽電池１１の出力電圧値（Ｖ）の関係を示すＩ−Ｖ特性（曲線）である。或いは、太陽電池１１の出力電力値（Ｗ）及び太陽電池１１の出力電圧値（Ｖ）の関係を示す出力特性（曲線）であってもよい。
【００４０】
第１実施形態では、特性カーブが出力特性（曲線）であるケースについて例示する。例えば、特性カーブは、図３に示すように、太陽電池１１の動作電力点の推移を示すカーブで表現される。太陽電池１１が動作する環境条件に応じて特性カーブが異なるため、図３では、６種類のカーブ（カーブＣ１〜カーブＣ６）が示されている。
【００４１】
なお、環境条件は、例えば、日射量、太陽電池１１のパネル温度などの情報である。ここでは、環境条件として日射量を例に挙げて説明する。
【００４２】
図３に示すように、日射量が最も多い場合に、特性カーブはカーブＣ１である。日射量が最も少ない場合に、特性カーブはカーブＣ６である。このように、日射量が多いほど、太陽電池１１の出力電力値（Ｗ）が大きい。
【００４３】
なお、カーブＣ１〜カーブＣ６のうち、既知の日射量と対応付けられたカーブを用いて、他のカーブを推定することが可能である。従って、記憶部２４０に記憶されるカーブは、カーブＣ１〜カーブＣ６のいずれかであってもよい。なお、１つのカーブが記憶部２４０に記憶される場合には、最も日射量が多いときのカーブＣ１が記憶部２４０に記憶されていることが好ましい。
【００４４】
ここで、特性カーブは、予め記憶部２４０に記憶されていてもよい。このようなケースでは、特性カーブは、太陽電池１１の構造（例えば、結晶系又は薄膜系）に応じて異なることに留意すべきである。或いは、特性カーブは、太陽電池１１のメーカに応じて異なることに留意すべきである。
【００４５】
特性カーブは、太陽電池１１の設置後において、学習によって記憶部２４０に記憶されていてもよい。なお、学習方法の詳細については後述する（図４を参照）。
【００４６】
制御部２５０は、昇圧回路２１０及び検出回路２３０に接続される。制御部２５０は、昇圧回路２１０のパルス制御によって、太陽電池１１の動作点を制御する。ここでは、連系状態において、制御部２５０は、ＭＰＰＴ（Ｍａｘｉｍｕｍ  Ｐｏｗｅｒ  Ｐｏｉｎｔ  Ｔｒａｃｋｉｎｇ）法に従って、太陽電池１１の動作点を制御する。
【００４７】
具体的には、制御部２５０は、太陽電池１１が電力系統から解列された自立運転状態において、所定時点における太陽電池１１の動作点及び記憶部２４０に記憶された情報に基づいて、所定時点における環境条件に対応する特性カーブを特定する。続いて、制御部２５０は、特定された特性カーブに基づいて、所定時点において太陽電池１１が負荷１３に供給可能な最大供給電力を特定する。
【００４８】
例えば、自立運転状態において、最大供給電力を特定する方法について、図３を参照しながら説明する。ここで、所定時点において、太陽電池１１の動作点がＰ１であるケースについて説明する。すなわち、太陽電池１１の出力電力値がＷ１であり、太陽電池１１の出力電圧値がＶ１である。また、太陽電池１１の動作点は、上述した検出回路２３０によって検出可能であることは勿論である。
【００４９】
なお、自立運転状態においては、太陽電池１１の出力電力値は、負荷１３の消費電力に応じて自動的に変化することに留意すべきである。
【００５０】
このようなケースにおいて、第１に、制御部２５０は、カーブＣ１〜カーブＣ６に基づいて、動作点Ｐ１を通るカーブを特定する。ここでは、動作点Ｐ１を通るカーブがカーブＣ３であるケースについて例示している。しかしながら、動作点Ｐ１を通るカーブが存在しなくても、動作点Ｐ１の近くの点を通るカーブに基づいて、動作点Ｐ１を通るカーブが特定されてもよい。
【００５１】
第２に、制御部２５０は、特定されたカーブ（ここでは、カーブＣ３）上において、太陽電池１１の最適動作点ＰＭＡＸを特定する。制御部２５０は、最適動作点ＰＭＡＸに対応する電力Ｗ３を最大供給電力として特定する。
【００５２】
なお、太陽電池１１が電力系統に連系された連系状態においては、太陽電池１１の動作点が最適動作点に近づけられる。従って、連系状態において、太陽電池１１の出力電力値がＷ１である場合には、太陽電池１１の出力電圧値はＶ２であることに留意すべきである。
【００５３】
以下において、特性カーブの学習について、図４を参照しながら説明する。制御部２５０は、少なくとも１つの環境条件に対応する特性カーブを学習して、学習された特性カーブを記憶部２４０に記憶する。
【００５４】
詳細には、第１に、制御部２５０は、図４に示すように、所定期間（例えば、１ヶ月）において、太陽電池１１の動作点をプロットする。なお、動作点のプロットは、連系状態において行われるため、太陽電池１１の動作点は、最適動作点と略等しいことに留意すべきである。なお、太陽電池１１の動作点は、上述した検出回路２３０によって検出されることに留意すべきである。
【００５５】
第２に、制御部２５０は、動作点のプロット結果に基づいて、環境条件（例えば、日射量）毎の最適動作点を推定して、最適動作点、短絡電流値及び開放電圧値に基づいて特性カーブを学習する。なお、短絡電流値及び開放電圧値は既知であることに留意すべきである。
【００５６】
なお、制御部２５０は、太陽電池１１の出力電力値が最も大きい最適動作点ＰＰＥＡＫのみを推定して、最適動作点ＰＰＥＡＫ、短絡電流値及び開放電圧値に基づいて特性カーブを学習する。このようなケースでは、環境条件（例えば、日射量）毎の最適動作点を推定しなくてもよい。
【００５７】
図２に戻って、出力部２６０は、例えば、ディスプレイやスピーカなどである。出力部２６０は、特定された最大供給電力を表示によって出力してもよい。或いは、出力部２６０は、特定された最大供給電力を音声によって出力する。或いは、出力部２６０は、特定された最大供給電力に基づいて、太陽電池１１によって供給可能な残り電力量（すなわち、追加可能な負荷１３の消費電力量）を表示によって出力してもよい。出力部２６０は、特定された最大供給電力に基づいて、太陽電池１１によって供給可能な残り電力量（すなわち、追加可能な負荷１３の消費電力量）を音声によって出力してもよい。
【００５８】
例えば、出力部２６０の構成例について、図５を参照しながら説明する。図５は、ＰＣＳ２００に設けられる自立運転用コンセントに差し込む電源タップ３００を示す図である。電源タップ３００は、複数のコンセント（コンセント３１１〜コンセント３１３）を有する。なお、各コンセントに割り振られた番号（ここでは、“１”、“２”及び“３”）は、コンセントの優先順位を示している。
【００５９】
出力部２６０は、電源タップ３００に設けられている。ここでは、出力部２６０がレベルメータであるケースについて例示する。例えば、出力部２６０は、使用電力を所定色（例えば、“赤”）で表示し、残り電力量を所定色（例えば、“緑”）で表示する。
【００６０】
なお、太陽電池１１によって供給される電力量が下がった場合には、下位の番号が割り振られたコンセントから順に電力を遮断してもよい。或いは、電力を遮断するためのリレーや半導体スイッチを内蔵し、かつ、各コンセントに大容量コンデンサを内蔵してもよい。
【００６１】
このような電源タップ３００を用いることによって、例えば、図６に示すように、最大供給可能量に追随して、各コンセントに電力が供給される。なお、負荷Ａは、優先順位“１”が割り振られたコンセント３１１に接続された負荷であり、負荷Ｂは、優先順位“２”が割り振られたコンセント３１２に接続された負荷であり、負荷Ｃは、優先順位“３”が割り振られたコンセント３１３に接続された負荷である。
【００６２】
（供給電力特定方法）
以下において、第１実施形態に係る供給電力特定方法について、図面を参照しながら説明する。図７は、第１実施形態に係る供給電力特定方法を示すフロー図である。
【００６３】
図７に示すように、ステップ１０において、制御部２５０は、太陽電池１１が電力系統から解列された自立運転状態において、所定時点における太陽電池１１の動作点及び記憶部２４０に記憶された情報に基づいて、所定時点における環境条件に対応する特性カーブを特定する。
【００６４】
ステップ２０において、制御部２５０は、特定された特性カーブに基づいて、所定時点において太陽電池１１が負荷１３に供給可能な最大供給電力を特定する。
【００６５】
（作用及び効果）
第１実施形態では、制御部２５０は、所定時点における環境条件に対応する特性カーブ特定して、特定された特性カーブに基づいて、最大供給電力を特定する。言い換えると、自立運転状態において、太陽電池１１の動作点が自動的に変わってしまった場合であっても、最大供給電力を特定することができる。これによって、自立運転状態において、どれだけの電力を供給することができるのかを把握することが可能である。
【００６６】
第１実施形態では、出力部２６０は、最大供給電力或いは残り電力量を出力する。従って、自立運転状態において、どれだけの電力を供給することができるのかを容易に把握することが可能である。また、電源タップ３００で供給される電力量が下がった場合に優先順位の低いコンセントから順に電力を遮断することにより、ＰＣＳ２００を停止せずに駆動させることができる。このような遮断を行わない場合は、一般にハンチング動作防止のため、ＰＣＳ２００を一旦停止し、日射量が改善されて再び電力が確保できても手動で復帰操作をする必要があったが、本実施形態の自動的な遮断・復帰の調整により、ＰＣＳ２００自体を停止することを避けることができる。
【００６７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６８】
実施形態では、環境条件が日射量であるケースについて主として説明した。しかしながら、環境条件は、太陽電池１１のパネル温度、気温、湿度などであってもよい。例えば、太陽電池１１のパネル温度を検出する温度センサが設けられている場合には、制御部２５０は、パネル温度に基づいて特性カーブを補正してもよい。同様に、気温や湿度などを検出する気象センサが設けられている場合には、制御部２５０は、気温や湿度などに基づいて特性カーブを補正してもよい。
【符号の説明】
【００６９】
１０…需要家、１１…太陽電池、１２…スイッチ、１３…負荷、２０…ＥＭＳ、３０…変電所、３１…配電線、４０…スマートサーバ、５０…発電所、５１…送電線、６０…ネットワーク、１００…電力管理システム、２００…ＰＣＳ、２１０…昇圧回路、２２０…インバータ回路、２３０…検出回路、２４０…記憶部、２５０…制御部、２６０…出力部、３００…電源タップ、３１１〜３１３…コンセント
【図１】
0005791948.tif 000002
【図２】
0005791948.tif 000003
【図３】
0005791948.tif 000004
【図４】
0005791948.tif 000005
【図５】
0005791948.tif 000006
【図６】
0005791948.tif 000007
【図７】
0005791948.tif 000008